(57)【要約】【課題】配線作業を容易に行うことができると共に組立の容易な空気調和機の室外機を提供する。【解決手段】空気調和機の室外機３は、第１ユニットケーシング４４と、第１ユニットケーシング４４上に載置される第２ユニットケーシング５１と、電装品ユニット６と、配線支持部材７とを備える。電装品ユニット６は、電装品６１と、電装品６１を収容する電装品ケーシング６２とを有し、第１ユニットケーシング４４に収容される。配線支持部材７は、電装品６１から延びる配線を電装品６１ユニット６の上方に向けて起立した状態で支持するよう上下方向に延びた形状を有し、電装品ケーシング６２に装着可能な装着部が設けられている。【選択図】図２
2008095978.tif 000002
【特許請求の範囲】
【請求項１】
第１ユニットケーシング（４４）と、
前記第１ユニットケーシング（４４）上に載置される第２ユニットケーシング（５１）と、
電装品（６１）と、前記電装品（６１）を収容する電装品ケーシング（６２）とを有し、前記第１ユニットケーシング（４４）に収容される電装品ユニット（６）と、
前記電装品（６１）から延びる配線を前記電装品ユニット（６）の上方に向けて起立した状態で支持するよう上下方向に延びた形状を有し、前記電装品ケーシング（６２）に装着可能な装着部（７２）が設けられた配線支持部材（７）と、
を備える空気調和機の室外機（３）。
【請求項２】
前記電装品ケーシング（６２）には孔（６９ｂ）が設けられており、
前記装着部（７２）は、前記電装品ケーシング（６２）の孔（６９ｂ）に差し込まれて係止する爪部（７７）を有する、
請求項１または２に記載の空気調和機の室外機（３）。
【請求項３】
前記孔（６９ｂ）は、前記電装品ケーシング（６２）の側面に設けられ、
前記爪部（７７）は、前記配線支持部材（７）の側面に設けられており、
前記装着部（７２）は、前記爪部（７７）を間に挟んで上下に距離を隔てて設けられ前記電装品ケーシング（６２）の側面を挟持する第１挟持部（７８）および第２挟持部（７９）をさらに有する、
請求項２に記載の空気調和機の室外機（３）。
【請求項４】
前記電装品ケーシング（６２）の側面には第１係止部（８１）が設けられており、
前記装着部（７２）は、前記電装品ケーシング（６２）の側面に沿ってスライドすることにより前記第１係止部（８１）に係止する第２係止部（８２）を有する、
請求項１に記載の空気調和機の室外機（３）。
【請求項５】
前記電装品ケーシング（６２）は、板金から形成されている、
請求項１から４のいずれかに記載の空気調和機の室外機（３）。
【請求項６】
前記配線支持部材（７）は、樹脂製である、
請求項５に記載の空気調和機の室外機（３）。
【発明の詳細な説明】
【技術分野】
【０００１】
本発明は、空気調和機の室外機
【背景技術】
【０００２】
空気調和機の室外機には、第１ユニットケーシングと、第１ユニットケーシング上に載置される第２ユニットケーシングとを備えるものがある。例えば、第１ユニットケーシングは、室外熱交換器や室外ファンなどを収納し、第２ユニットケーシングは、調湿などの付加機能を付与するための装置を収納している。また、第１ユニットケーシングには、電装品と、電装品を収容する電装品ケーシングとを有する電装品ユニットが収容されており、電装品ユニットは、配線を介して、第２ユニットケーシングに収容された各種の装置と接続される。
【０００３】
一方、電装品ケーシングには、延焼防止のために防炎板が取り付けられている。この防炎板は、板金から形成されており、電装品ケーシングの上面を覆うように電装品ケーシングに取り付けられる。この防炎板の一部は、上方へ向けて屈曲されており、電装品から延びる配線を電装品ユニットの上方に向けて起立した状態で支持する配線支持部として機能する（特許文献１参照）。これにより、配線作業を容易に行うことができる。
【特許文献１】特開２００２−８９８９９号公報  図３
【発明の開示】
【発明が解決しようとする課題】
【０００４】
上記のように配線固定部が防炎板の一部を屈曲して形成されている場合、防炎板を電装品ケーシングに固定することによって、配線固定部が電装品ケーシングに設けられることになる。しかし、上述したように、防炎板は電装品ケーシングの上面を覆うものであるため、電装品ケーシングへの取り付けは容易ではない。このため、配線固定部を電装品ケーシングに設けるために多くの工数が必要となり煩雑である。
【０００５】
本発明の課題は、配線作業を容易に行うことができると共に組立の容易な空気調和機の室外機を提供することにある。
【課題を解決するための手段】
【０００６】
第１発明に係る空気調和機の室外機は、第１ユニットケーシングと、第１ユニットケーシング上に載置される第２ユニットケーシングと、電装品ユニットと、配線支持部材とを備える。電装品ユニットは、電装品と、電装品を収容する電装品ケーシングとを有し、第１ユニットケーシングに収容される。配線支持部材は、電装品から延びる配線を電装品ユニットの上方に向けて起立した状態で支持するよう上下方向に延びた形状を有し、電装品ケーシングに装着可能な装着部が設けられている。
【０００７】
この空気調和機の室外機では、装着部を電装品ケーシングに装着することによって、配線を支持する配線支持部材が防炎板を介さずに電装品ケーシングに取り付けられる。このため、配線支持部材を電装品ケーシングに容易に取り付けることができる。これにより、この空気調和機の室外機では、配線作業を容易に行うことができると共に組立を容易に行うことができる。
【０００８】
第２発明に係る空気調和機の室外機は、第１発明の空気調和機の室外機であって、電装品ケーシングには孔が設けられており、装着部は、電装品ケーシングの孔に差し込まれて係止する爪部を有する。
【０００９】
この空気調和機の室外機では、爪部を電装品ケーシングの孔に差し込むことによって、配線支持部材を電装品ケーシングに取り付けることができる。このため、配線支持部材の取付がより容易である。
【００１０】
第３発明に係る空気調和機の室外機は、第２発明の空気調和機の室外機であって、上記孔は、電装品ケーシングの側面に設けられ、爪部は、配線支持部材の側面に設けられている。また、装着部は、爪部を間に挟んで上下に距離を隔てて設けられ電装品ケーシングの側面を挟持する第１挟持部および第２挟持部をさらに有する。
【００１１】
この空気調和機の室外機では、爪部が電装品ケーシングの側面の孔に係止すると共に、爪部を間に挟んで上下に設けられた第１挟持部および第２挟持部によって電装品ケーシングの側面が挟持される。これにより、配線支持部材を電装品ケーシングにより安定的に取り付けることができる。
【００１２】
第４発明に係る空気調和機の室外機は、第１発明の空気調和機の室外機であって、電装品ケーシングの側面には第１係止部が設けられている。そして、装着部は、電装品ケーシングの側面に沿ってスライドすることにより第１係止部に係止する第２係止部を有する。
【００１３】
この空気調和機の室外機では、配線支持部材を電装品ケーシングの側面に沿ってスライドさせることにより、第２係止部が第１係止部に係止して、配線支持部材が電装品ケーシングに取り付けられる。このため、配線支持部材を電装品ケーシングに容易に取り付けることができる。
【００１４】
第５発明に係る空気調和機の室外機は、第１発明から第４発明のいずれかの空気調和機の室外機であって、電装品ケーシングは、板金から形成されている。
【００１５】
この空気調和機の室外機では、電装品ケーシングが板金から形成されているため電装品ケーシング自体の防炎性が向上している。このため、従来、電装品ケーシングの上面に取り付けられていた防炎板を省略しても防炎性が低下することを防止することができる。また、電装品ケーシングとは別体の防炎板を省略して、防炎板よりも取付の容易な配線支持部材を設けることにより、組立工数を低減することができる。
【００１６】
第６発明に係る空気調和機の室外機は、第５発明の空気調和機の室外機であって、配線支持部材は、樹脂製である。
【００１７】
この空気調和機の室外機では、電装品ケーシングが板金で形成されており電装品ケーシング自体の防炎性が高いため、配線支持部材が樹脂製であっても防炎性を確保することができる。このため、配線支持部材が板金で形成される場合と比べてコストを低減することができると共に、防炎性の低下を防止することができる。
【発明の効果】
【００１８】
第１発明に係る空気調和機の室外機では、装着部を電装品ケーシングに装着することによって、配線を支持する配線支持部材が防炎板を介さずに電装品ケーシングに取り付けられる。このため、配線支持部材を電装品ケーシングに容易に取り付けることができる。これにより、この空気調和機の室外機では、配線作業を容易に行うことができると共に組立を容易に行うことができる。
【００１９】
第２発明に係る空気調和機の室外機では、爪部を電装品ケーシングの孔に差し込むことによって、配線支持部材を電装品ケーシングに取り付けることができる。このため、配線支持部材の取付がより容易である。
【００２０】
第３発明に係る空気調和機の室外機では、爪部が電装品ケーシングの側面の孔に係止すると共に、爪部を間に挟んで上下に設けられた第１挟持部および第２挟持部によって電装品ケーシングの側面が挟持される。これにより、配線支持部材を電装品ケーシングにより安定的に取り付けることができる。
【００２１】
第４発明に係る空気調和機の室外機では、配線支持部材を電装品ケーシングの側面に沿ってスライドさせることにより、第２係止部が第１係止部に係止して、配線支持部材が電装品ケーシングに取り付けられる。このため、配線支持部材を電装品ケーシングに容易に取り付けることができる。
【００２２】
第５発明に係る空気調和機の室外機では、電装品ケーシングが板金から形成されているため、従来、電装品ケーシングの上面に取り付けられていた防炎板を省略しても防炎性が低下することを防止することができる。また、電装品ケーシングとは別体の防炎板を省略して、防炎板よりも取付の容易な配線支持部材を設けることにより、組立工数を低減することができる。
【００２３】
第６発明に係る空気調和機の室外機では、電装品ケーシングが板金で形成されており電装品ケーシング自体の防炎性が高いため、配線支持部材が樹脂製であっても防炎性を確保することができる。このため、配線支持部材が板金で形成される場合と比べてコストを低減することができると共に、防炎性の低下を防止することができる。
【発明を実施するための最良の形態】
【００２４】
＜構成＞
本発明の一実施形態に係る空気調和機１の室外機３を図１に示す。この空気調和機１の室外機３は、室内に配置される室内機２と冷媒配管９によって接続されており、第１ユニット４と第２ユニット５とを備える。
【００２５】
〈第１ユニット４および第２ユニット５の構成〉
第１ユニット４は、冷暖房を行うための熱源となる装置であって、図２に示すように、室内機２内に配置される室内熱交換器（図示せず）と共に冷媒回路を構成する室外熱交換器４１、外部の空気を取り込んで室外熱交換器４１に通す送風ファン４２、送風ファン４２を回転駆動するファンモータ４３、これらの装置を収容する第１ユニットケーシング４４などを有する。また、第１ユニット４の内部は、風雨が侵入しにくいように閉じられた機械室ＳＰ１と、外気が通り易くされている通風室ＳＰ２とに仕切られており、ここでは、正面視において、右側に機械室ＳＰ１が配置され、左側に通風室ＳＰ２が配置されている。なお、機械室ＳＰ１には圧縮機（図示せず）が配置され、通風室ＳＰ２には送風ファン４２やファンモータ４３などが配置される
第２ユニット５は、室内の調湿を行うための装置であって、第２ユニットケーシング５１を有する。第２ユニットケーシング５１には、図示しない調湿部材や、外部の空気を取り込んで加湿部材に通し室内機２へ送る送風装置などが収容されている。第２ユニットケーシング５１は、第１ユニットケーシング４４上に載置され、固定される。なお、第１ユニットケーシング４４の上面は開放されており、第２ユニットケーシング５１によって第１ユニットケーシング４４の上面が閉じられる。
【００２６】
また、第１ユニットケーシング４４には、電装品ユニット６と、電装品ユニット６に取り付けられる配線支持部材７とが収容されている。
【００２７】
〈電装品ユニット６の構成〉
電装品ユニット６は、第１ユニット４および第２ユニット５に収容されている各種装置の制御を行うための電装品６１と、電装品６１を収容する電装品ケーシング６２とを有する。
【００２８】
図３に示すように、電装品ケーシング６２は、板金から形成されており、上面６３が平坦な形状となっている。また、電装品ケーシング６２の下面のうち第１ユニット４の機械室ＳＰ１に面する第１下面部６４には大きな開口が設けられており、この第１下面部６４の開口を通じて電装品ケーシング６２の内部の空間が機械室ＳＰ１に連通している。また、電装品ケーシング６２の下面のうち第１ユニット４の通風室ＳＰ２に面する第２下面部６５は、第１下面部６４よりも上方に位置しており、開口が設けられている。そして、第２下面部６５の開口を通って放熱フィン６６が下方に向けて突出している。
【００２９】
電装品ケーシング６２の４方の側面のうち前面側に位置する側面６７には、第１下面部６４の開口と繋がった大きな開口６８が設けられており、側面６７は、開口６８の上方に位置する第１側面部６７ａと、第１側面部６７ａの通風室ＳＰ２側に位置する第２側面部６７ｂと、第２側面部６７ｂの通風室ＳＰ２側に位置する第３側面部６７ｃとを有している。
【００３０】
第１側面部６７ａは、水平方向に細長い形状を有しており、水平方向における中間部分には後述する配線支持部材７の爪部７６，７７が挿入される２つの孔６９ａ，６９ｂが設けられている。一方の孔６９ａ（以下、「第１孔部６９ａ」と呼ぶ）は、上下方向に長い形状を有している。もう一方の孔６９ｂ（以下「第２孔部６９ｂ」と呼ぶ）は、第１孔部６９ａと水平方向に近接して並んで配置されており、第１孔部６９ａより小さい水平方向に長い形状を有する。
【００３１】
第２側面部６７ｂは、第１側面部６７ａよりも大きな上下方向寸法を有しており、第１側面部６７ａの下端より下方に突出した形状を有している。
【００３２】
第３側面部６７ｃは、第１側面部６７ａと同程度の上下方向寸法を有しており、第１ユニット４の通風室ＳＰ２に配置される部分である。なお、第３側面部６７ｃは第２下面部６５に対応する位置に配置されている。
【００３３】
〈配線支持部材７の構成〉
配線支持部材７は、図４に示すように、電装品６１から延びる配線Ｗを電装品ユニット６の上方に向けて起立した状態で支持する樹脂製の部材である。配線支持部材７は、図５に示すように、配線支持本体部７１と装着部７２とを有する。
【００３４】
配線支持本体部７１は、上下方向に延びた細長い形状を有しており、長手方向すなわち上下方向に沿って凹溝７３が設けられている。配線Ｗは、この凹溝７３に沿って配置されることにより配線支持部材７に支持される。また、配線支持部材７の上端部および下端部には、くびれ７１ａ，７１ｂが設けられており、配線Ｗを配線支持本体部７１に固定するための結束バンド等の固定部材７４，７５が取り付けられる。
【００３５】
装着部７２は、配線支持部材７を電装品ケーシング６２に装着可能とするための部分であり、爪部７６，７７、第１挟持部７８、第２挟持部７９を有している。２つの爪部７６，７７、第１挟持部７８、第２挟持部７９は、配線支持本体部７１の側面のうち凹溝７３が設けられた側面の反対側の側面から突出するように設けられている。
【００３６】
２つの爪部７６，７７は、電装品ケーシング６２の第１側面部６７ａの第１孔部６９ａおよび第２孔部６９ｂに差し込まれて係止する部分であり、配線支持本体部７１の下端部近傍に設けられている。２つの爪部７６，７７の一方（以下、「第１爪部７６」と呼ぶ）は、上下方向に長い断面形状を有しており、上述した第１孔部６９ａに挿入される。２つの爪部７６，７７のもう一方（以下、「第２爪部７７」と呼ぶ）は、水平方向に長い断面形状を有しており、上述した第２孔部６９ｂに挿入される。なお、第２爪部７７の先端には折り返しが設けられているため、第２爪部７７は第２孔部６９ｂに挿入されることにより電装品ケーシング６２に係止して抜け止めされる。
【００３７】
第１挟持部７８および第２挟持部７９は、第１爪部７６および第２爪部７７を間に挟んで上下に距離を隔てて設けられており、電装品ケーシング６２の第１側面部６７ａを挟持する。第１挟持部７８は第１爪部７６および第２爪部７７より上方に設けられており、第１挟持部７８の下面が第１側面部６７ａの上端に当接する。第２挟持部７９は第１爪部７６および第２爪部７７より下方に設けられており、第２挟持部７９の上面が第１側面部６７ａの下端に係止する。
【００３８】
＜特徴＞
（１）
この空気調和機１の室外機３では、配線支持部材７が電装品ケーシング６２とは別体となっており、配線支持部材７の第１爪部７６および第２爪部７７を電装品ケーシング６２の第１孔部６９ａおよび第２孔部６９ｂに挿入することにより、配線支持部材７を電装品ケーシング６２の第１側面部６７ａに容易に取り付けることができる。このため、従来のように電装品ケーシングの一部である放熱板の一部を屈曲させて配線Ｗの支持に用いる場合と比べて室外機３の組立が容易である。
【００３９】
例えば、電装品ケーシング６２に取り付けられる前の配線支持部材７に配線Ｗを固定しておき、電装品ケーシング６２に配線支持部材７を取り付ける。そして、配線Ｗの端部のコネクタを電装品ケーシング６２の側面および下面の開口から電装品ケーシング６２の内部に通して電装品６１に接続する。これにより、配線Ｗを電装品ケーシング６２上に自立した状態に容易に配置することができると共に、配線Ｗ作業を容易に行うことができる。
【００４０】
（２）
この空気調和機１の室外機３では、配線支持部材７の第１爪部７６および第２爪部７７を電装品ケーシング６２の第１孔部６９ａおよび第２孔部６９ｂに挿入することにより、配線支持部材７を電装品ケーシング６２にワンタッチで取り付けることができる。このため、配線支持部材７の取付作業が容易になっている。
【００４１】
また、第１挟持部７８および第２挟持部７９によって電装品ケーシング６２の第１側面部６７ａが挟持されるため、配線支持部材７を電装品ケーシング６２に安定的に固定することができる。
【００４２】
（３）
この空気調和機１の室外機３では、配線支持部材７が電装品ケーシング６２と別体になっているため、配線支持部材７を電装品ケーシング６２とは別の材料で形成することができる。すなわち、電装品ケーシング６２を板金で形成することにより防炎性を確保することができると共に、配線支持部材７を樹脂で形成することにより材料コストを低減することができる。
【００４３】
（４）
この空気調和機１の室外機３では、配線支持部材７が電装品ケーシング６２と別体になっているため、電装品ユニット６の組立とは別に、配線支持部材７に配線Ｗを固定して配線組立体として製造することができる。従って、予め組み立てられた配線組立体を室外機３の組立ラインにおいて用いることによって、室外機３の組立ラインにおける部品点数を削減することができる。
【００４４】
また、電装品ユニット６の搬送の際、配線支持部材７が取り付けられていない状態で電装品ユニット６の搬送を行うことも可能であるため、電装品ユニット６の荷姿の小型化が可能である。
【００４５】
＜他の実施形態＞
（ａ）
上記の実施形態では、爪部７６，７７が孔６９ａ，６９ｂに挿入されて係止することにより配線支持部材７と電装品ケーシング６２とが固定されているが、配線支持部材７と電装品ケーシング６２との固定構造は上記の構造に限られるものではない。例えば、図６に示すように、電装品ケーシング６２に第１側面部６７ａから突出する第１係止部８１が設けられ、配線支持部材７の装着部に第１係止部８１と係止する第２係止部８２が設けられてもよい。第２係止部８２は、配線支持部材７が電装品ケーシング６２の第１側面部６７ａに沿ってスライドすることにより第１係止部８１に係止し、第１係止部８１と第２係止部８２との係止によって配線支持部材７と電装品ケーシング６２とが固定される。
【００４６】
（ｂ）
上記の実施形態では第１孔部６９ａと第２孔部６９ｂとの２つの孔が電装品ケーシング６２に設けられているが、孔の数はこれに限られるものではなく、１つの孔のみ、又は、３つ以上の孔が設けられてもよい。ただし、孔の数をできるだけ少なくするか、又は、一カ所に密集して複数の孔を設けることにより、一度の取付動作で配線支持部材７の取付が可能なように構成されることが望ましい。
【００４７】
（ｃ）
上記の実施形態では、爪部７６，７７が配線支持部材７に設けられ、孔６９ａ，６９ｂが電装品ケーシング６２に設けられているが、上記とは逆に、爪部が電装品ケーシング６２に設けられ、孔が配線支持部材７に設けられてもよい。
【産業上の利用可能性】
【００４８】
本発明は、配線作業を容易に行うことができると共に組立が容易であるという効果を有し、空気調和機の室外機として有用である。
【図面の簡単な説明】
【００４９】
【図１】空気調和機の室外機および室内機の正面図。
【図２】電装品ユニットの配置を示す斜視図。
【図３】電装品ユニットケーシングの正面図。
【図４】配線支持部材の配置を示す斜視図。
【図５】配線支持部材の側面図。
【図６】他の実施形態に係る配線支持部材および電装品ユニットの固定構造を示す図。
【符号の説明】
【００５０】
３        室外機
６        電装品ユニット
７        配線支持部材
４４      第１ユニットケーシング
５１      第２ユニットケーシング
６１      電装品
６２      電装品ケーシング
６９ｂ    第２孔部（孔）
７２      装着部
７７      第２爪部（爪部）
７８      第１挟持部
７９      第２挟持部
８１      第１係止部
８２      第２係止部
【図１】
2008095978.tif 000003
【図２】
2008095978.tif 000004
【図３】
2008095978.tif 000005
【図４】
2008095978.tif 000006
【図５】
2008095978.tif 000007
【図６】
2008095978.tif 000008